(57)【要約】【課題】衣料品に穴を開けることなく、しかも簡単に名札を取り付けることができようにする名札の取り付け構造およびこれに用いることができるアップリケの提供を図る。【解決手段】アップリケ１１に環状部１２を設け、このアップリケ１１を衣服や帽子などの装飾対象物品２１に取り付け、環状部１２に、名札３１に設けられた安全ピン３２を通して取り付ける。アップリケ１１は、裏面に感熱性接着剤を備えたフエルト製の基部シート１３と装飾シート１４との間に、二つ折りの布製のテープ１５を挟んで固定する。【選択図】          図１
0003126260.tif 000002
【実用新案登録請求の範囲】
【請求項１】
アップリケに環状部を設け、この衣服、帽子、カバン等の装飾対象物品に取り付け、名札に設けられた安全ピンをアップリケの環状部に通して取り付けたものであり、
このアップリケは、装飾対象物品上に重ねて固定される基部シートと、この基部シートの表面側に重ねて固定された装飾シートと、二つ折りテープとを備えるものであり、
上記の環状部は、この二つ折りテープの折り返し端と反対側の端部を基部シートと装飾シートとの間に挟んで固定することによって形成されたものであることを特徴とする安全ピンのある名札の取り付け構造。
【請求項２】
裏面に感熱性接着剤を備えた基部シートと、この基部シートの表面側に重ねて固定された装飾シートと、二つ折りのテープとを備え、
この二つ折りテープの折り返し端と反対側の端部を基部シートの下部と装飾シートの下部との間に挟んで固定したもであり、
この二つ折りテープは１〜４cm幅の柔軟性を有するテープであり、上記の固定された箇所から折り返し端までの長さが０．５〜４cmであり、
この二つ折りテープによって構成された環状部に名札の安全ピンを通して取り付けるようにしたことを特徴とする名札取り付け用のアップリケ。
【考案の詳細な説明】
【技術分野】
【０００１】
本願考案は安全ピンのある名札の取り付け構造およびアップリケに関する。
【背景技術】
【０００２】
従来より、安全ピンは、名札を取り付けるための金具として広く用いられており、特に、小学生用の服や帽子用の名札に多用されている。ところが、この名札を毎日取り替えていると、衣服の生地に多くの穴が開き、しかもその穴が大きくなってきてしまい、衣服を台無しにしてしまうことがある。
そのため特許文献１に示すようなワッペンが提案されているが、このものは、安全ピンをワッペンに刺すことが困難であり、年少の小学生が簡単に名札を取り付けることができない場合がある。
【０００３】
【特許文献１】登録実用新案３１２１２７４号公報
【考案の開示】
【考案が解決しようとする課題】
【０００４】
本願考案は、衣料品に穴を開けることなく、しかも簡単に名札を取り付けることができようにする名札の取り付け構造およびこれに用いることができるアップリケの提供を目的とする。
【課題を解決するための手段】
【０００５】
本願の請求項１に係る考案は、アップリケに環状部を設け、この衣服、帽子、カバン等の装飾対象物品に取り付け、名札に設けられた安全ピンをアップリケの環状部に通して取り付けたものであり、このアップリケは、装飾対象物品上に重ねて固定される基部シートと、この基部シートの表面側に重ねて固定された装飾シートと、二つ折りテープとを備えるものであり、上記の環状部は、この二つ折りテープの折り返し端と反対側の端部を基部シートと装飾シートとの間に挟んで固定することによって形成されたものであることを特徴とする安全ピンのある名札の取り付け構造を提供する。
本願の請求項２に係る考案は、裏面に感熱性接着剤を備えた基部シートと、この基部シートの表面側に重ねて固定された装飾シートと、二つ折りのテープとを備え、この二つ折りテープの折り返し端と反対側の端部を基部シートの下部と装飾シートの下部との間に挟んで固定したもであり、この二つ折りテープは１〜４cm幅の柔軟性を有するテープであり、上記の固定された箇所から折り返し端までの長さが０．５〜４cmであり、この二つ折りテープによって構成された環状部に名札の安全ピンを通して取り付けるようにしたことを特徴とする名札取り付け用のアップリケを提供する。
【考案の効果】
【０００６】
本願考案は、アップリケに環状部を設け、この衣服、帽子、カバン等の装飾対象物品に取り付けるようにしたため、衣料品に穴を開けることなく、環状部に安全ピンを通すだけで簡単に名札を取り付けることができるものである。
しかも、二つ折りにしたテープを、アップリケの基部シートと装飾シートとの間に挟んで固定することによって、名札の安全ピンを通す環状部を通常のアップリケの作成工程を大きく変更することなく、製作できる。また、二つ折りテープを指でつまみ上げるなどすれば、安全ピンを非常に通し易いものとすることができ、且つ、通した後は、安全ピンのピンが、二つ折りテープの折り返し端に安定して位置するため、名札を安定した状態で二つ折りテープにぶら下げることができる。
さらに、二つ折りテープの折り返し端と反対側を基部シートと装飾シートとの間に挟んで固定したため、このテープが、基部シートの感熱性接着剤による衣料品への接着固定の邪魔になることもなく、通常のアップリケと同様、アイロンを掛けるだげで簡単に装飾対象物に取り付けることができるという利点を備えたものである。
【考案を実施するための最良の形態】
【０００７】
以下、図面に基づき本願考案の実施の形態を説明する。
図１（Ａ）は本願考案の実施の形態に係る安全ピンのある名札の取り付け構造の正面図であり、（Ｂ）同要部断面図である。図２（Ａ）（Ｂ）（Ｃ）は本願考案のアップリケの使用状態を示す斜視図である。
【０００８】
この名札の取り付け構造は、アップリケ１１に環状部１２を設け、このアップリケ１１を衣服や帽子などの装飾対象物品２１に取り付けたもので、名札３１に設けられた安全ピン３２を環状部１２に通して取り付けたものである。なお、アップリケ１１の形状は、種々の形状とすることができ、ホームベース形状のワッペンを含むものである。装飾対象物品２１は、図２（Ａ）の帽子、（Ｂ）のリュックサックなどのカバンや袋、（Ｃ）のエプロンなどの衣服の他、名札を取り付ける種々の対象物とすることができる。
【０００９】
このアップリケ１１は、裏面に感熱性接着剤を備えたフエルト製の基部シート１３と、この基部シート１３の表面側に図１、図２に示すようなキャラクターや動物、乗り物、植物など種々の模様や図柄を示す装飾シート１４を重ねて、接着剤や糸などで固定する。その際、二つ折りの布製のテープ１５を、その折り返し端１６と反対側の端部１７を両シート１３、１４の間に挟んで固定したものである。なお、この端部１７は、テープの両端が離れているものであってもよく、つながっているものであってもよい。テープ１５は、１〜４cm幅の布製等の柔軟性（人が手で持って曲げられる程度の柔軟性）を有するテープであり、上記の固定された箇所から折り返し端１６までの直線長さが０．５〜４cmとすることが適当である。
【００１０】
この基部シート１３をアイロンによってＴシャツ２１の胸に固定し、テープ１５によって形成された環状部１２に名札３１の安全ピン３２を通して取り付けたものである。このように、アップリケはアイロンを用いて感熱性接着剤を溶解させて簡単に固定でき、テープ１５によって形成された環状部１２に名札３１の安全ピン３２を通すため、年少者であっても比較的簡単に名札を取り付けることができる。
【図面の簡単な説明】
【００１１】
【図１】（Ａ）は本願考案の実施の形態に係る安全ピンのある名札の取り付け構造の正面図であり、（Ｂ）同要部断面図である。
【図２】（Ａ）（Ｂ）（Ｃ）は本願考案のアップリケの使用状態を示す斜視図である。
【符号の説明】
【００１２】
１１    アップリケ
１２    環状部
１３    基部シート
１４    装飾シート
１５    テープ
１６    折り返し端
１７    折り返し端と反対側の端部
２１    装飾対象物品
３１    名札
３２    安全ピン
【図１】
0003126260.tif 000003
【図２】
0003126260.tif 000004